(57)【要約】【課題】集卵された鶏卵に関連する鶏群の情報に関連付けられた卵重データを得ることのでき、前記卵重データに基づいて、極大卵あるいは極小卵のうち、少なくともいずれかを輸送用仮容器に充填するまでの前工程の所定場所に排出することができる鶏卵の充填装置を提供する。【解決手段】計量器２ｂと移し替え装置２ｉとの間に排出部２ｃ〜２ｈを設け、供給コンベア２にて搬送されてくる鶏卵Ｅの個々の卵重を計量器２ｂで計量したのち、極大卵および極小卵を、前記排出部２ｃ〜２ｈのうち当該鶏卵を積載している搬送経路に対応する排出部で排出するとともに、前記排出部２ｃ〜２ｈで排出されなかった鶏卵Ｅを選別することなく輸送用仮容器ｖに充填する構成とした。【選択図】      図２
2004229546.tif 000002
【特許請求の範囲】
【請求項１】
鶏舎で産卵された鶏卵を搬送する集卵コンベアの終端部に接続され、かつ、該鶏卵を選別することなく輸送用仮容器に充填する鶏卵の充填装置において、集卵された鶏卵に関連する鶏群の情報を入力する鶏群情報入力手段と、前記鶏卵の個々の卵重を計測する計量手段と、前記計量手段にて計測された個々の卵重データを前記鶏群の情報に関連付けて記憶する記憶手段と、前記記憶手段にて記憶された卵重データを出力する出力手段とを備えたことを特徴とする鶏卵の充填装置。
【請求項２】
鶏舎で産卵された鶏卵を搬送する集卵コンベアの終端部に接続され、かつ、該鶏卵を輸送用仮容器に充填する鶏卵の充填装置において、集卵された鶏卵に関連する鶏群の情報を入力する鶏群情報入力手段と、前記鶏卵の個々の卵重を計測する計量手段と、前記計量手段にて計測された個々の卵重データを前記鶏群の情報に関連付けて記憶する記憶手段と、前記記憶手段にて記憶された卵重データを出力する出力手段とを備え、前記鶏卵を輸送用仮容器に充填を行なう際に、計量手段にて計測された個々の卵重データに基づいて極大卵あるいは極小卵のうち、少なくともいずれかを輸送用仮容器に充填するまでの前工程の所定場所に排出するとともに、前記所定場所に排出されなかった鶏卵を選別することなく輸送用仮容器に充填することを特徴とする鶏卵の充填装置。
【発明の詳細な説明】
【０００１】
【発明の属する技術分野】
本発明は、鶏舎で産卵された鶏卵を搬送する集卵コンベアの終端部に接続され、かつ、該鶏卵を輸送用仮容器に充填を行なうファームパッカーと呼ばれる鶏卵の充填装置に関するものである。
【０００２】
【従来の技術】
一般的に、鶏舎で産卵された鶏卵の個数については、鶏舎毎に計数装置等を設けて各鶏舎の産卵状況を把握している（例えば、特許文献１参照。）。
【０００３】
鶏舎で産卵された鶏卵は、集卵コンベアで集められるとともに、作業員によって極大卵あるいは極小卵、卵殻形状が異常である粗悪卵殻卵等の規格外卵が取り除かれたのち、ファームパッカーと呼ばれる鶏卵の充填装置によってアメリカントレー等の輸送用仮容器に充填がなされてＧＰセンターに出荷される（例えば、非特許文献１参照。）。
【０００４】
【特許文献１】
特許２９８５０５９号公報（第１頁）
【非特許文献１】
有限会社オオガキ、“陸前街道  たまごの郷”、［ｏｎｌｉｎｅ］、平成１２年１１月９日、農場案内、［平成１５年１月２２日検索］、インターネット＜ＵＲＬ：ｈｔｔｐ：／／ｗｗｗ．ｆｕｔａｂａ．ｎｅ．ｊｐ／￣ｏｏｇａｋｉ／ｆａｒｍ．ｈｔｍ＞
【０００５】
【発明が解決しようとする課題】
しかしながら、前記鶏舎毎に計数装置等を設けて産卵個数の計測を行なう場合、産卵個数の多いときには多数の鶏卵が重なった状態で流れてくるため正確な計数を行なうことができず、各鶏舎の産卵状況を正確に把握できないという課題を奏する。
【０００６】
また、一般的に、ＧＰセンターとスーパーマーケット等の小売店との鶏卵の取引形態はサイズを中心とした取引形態であるのに対し、養鶏場とＧＰセンターとの鶏卵の取引形態は集卵された鶏卵の総重量で取引されているのが一般的であるため、ＧＰセンターにおいては、鶏卵の購入時点おける当該鶏卵の卵重データを把握することができず、購入した鶏卵に所望のサイズの鶏卵が極端に少ない場合、生産計画を見直さなければならないという不安要素が常につきまとっていた。
【０００７】
さらに、前記規格外卵の除去は熟練の作業者による勘と経験に委ねられているが、目視判断の容易な粗悪卵殻卵以外の規格外卵、特に、極大卵あるいは極小卵の判断については、その都度重量を測定している訳でもなく、作業者によっても判断基準が異なるため、検査漏れが生じる恐れがあり、前記検査で発見されなかった極大卵あるいは極小卵がファームパッカーに供給された場合、以下の問題が生じることになる。先ず、極大卵においては、輸送用仮容器の収容座に充填不能となるため、当該鶏卵が輸送用仮容器からはみ出してしまうばかりか、前記輸送用仮容器を多段に段積みしたときに当該鶏卵が割れてしまい、周辺の他の規格卵が汚れてしまう。また、極小卵においては、当該鶏卵のサイズが小さすぎるため、輸送用仮容器に充填するまでの搬送途上で落下して割れてしまい、設備を広範囲に汚してしまう。
【０００８】
したがって、本発明は、前記従来技術の問題点に鑑みてなされたものであり、第一の目的は、集卵された鶏卵に関連する鶏群の情報に関連付けられた卵重データを得ることのできる鶏卵の充填装置を提供することにある。また、第二の目的は、前記卵重データに基づいて、極大卵あるいは極小卵のうち、少なくともいずれかを輸送用仮容器に充填するまでの前工程の所定場所に排出する鶏卵の充填装置を提供することにある。
【０００９】
【課題を解決するための手段】
本発明は、前記目的を達成するために、第一発明は、鶏舎で産卵された鶏卵を搬送する集卵コンベアの終端部に接続され、かつ、該鶏卵を選別することなく輸送用仮容器に充填する鶏卵の充填装置において、集卵された鶏卵に関連する鶏群の情報を入力する鶏群情報入力手段と、前記鶏卵の個々の卵重を計測する計量手段と、前記計量手段にて計測された個々の卵重データを前記鶏群の情報に関連付けて記憶する記憶手段と、前記記憶手段にて記憶された卵重データを出力する出力手段とを備えたものである。
【００１０】
また、第二発明は、鶏舎で産卵された鶏卵を搬送する集卵コンベアの終端部に接続され、かつ、該鶏卵を輸送用仮容器に充填する鶏卵の充填装置において、集卵された鶏卵に関連する鶏群の情報を入力する鶏群情報入力手段と、前記鶏卵の個々の卵重を計測する計量手段と、前記計量手段にて計測された個々の卵重データを前記鶏群の情報に関連付けて記憶する記憶手段と、前記記憶手段にて記憶された卵重データを出力する出力手段とを備え、前記鶏卵を輸送用仮容器に充填を行なう際に、計量手段にて計測された個々の卵重データに基づいて極大卵あるいは極小卵のうち、少なくともいずれかを輸送用仮容器に充填するまでの前工程の所定場所に排出するとともに、前記所定場所に排出されなかった鶏卵を選別することなく輸送用仮容器に充填する構成としたものである。
【００１１】
【発明の実施の形態】
以下、添付図面を参照して本発明の実施形態について説明する。図１は、第一発明にかかる鶏卵の充填装置を説明する平面図である。
【００１２】
図１に示すように、鶏卵の充填装置Ｔ（以下、単に装置Ｔという。）は、大略、鶏卵Ｅを搬送する搬送手段１を配置するとともに、前記搬送手段１における直線搬送経路の所定位置ａに鶏卵Ｅを前記搬送手段１に供給する供給コンベア２を設け、前記供給コンベア２の下流側で、かつ、前記搬送手段１における搬送経路上の所定位置で該搬送手段１にて搬送される鶏卵Ｅを放出する放出手段４と、前記放出手段４から放出された鶏卵Ｅを例えば、アメリカントレー等の輸送用仮容器ｖに充填して充填後の輸送用仮容器ｖを搬送方向ｙに沿って搬送する充填搬送コンベア３とを設けた構成となっている。
【００１３】
また、前記供給コンベア２の排出端には、鶏卵Ｅの卵重を計量する計量器２ｂと、前記供給コンベア２から供給された鶏卵Ｅを搬送手段１に移し替える移し替え装置２ｉとが備えられている。
【００１４】
さらに、前記装置Ｔには、集卵された鶏卵Ｅに関連する鶏群の情報を入力する鶏群情報入力部Ｓａと、前記計量器２ｂで計量された個々の卵重データを前記鶏群情報入力部Ｓａに入力された鶏群の情報に関連付けて記憶するメモリＳｂと、搬送手段１にて搬送される鶏卵Ｅが放出地点に到達したときに放出手段４に放出指令信号を発信する制御部Ｓｃとから構成された制御手段Ｓを備えている。なお、符号５は、メモリＳｂで記憶された卵重データを出力する出力手段の一例であるプリンタである。
【００１５】
つぎに、前記構成からなる装置Ｔの操業例について説明する。例えば、図４（ａ）に示す鶏舎Ａから集卵する場合を仮定すると、先ず、制御手段Ｓ内の鶏群情報入力部Ｓａにこれから集卵する鶏舎の識別番号「Ａ」と、その鶏舎で飼われている鶏種「ロードアイランド・レッド種」と、その鶏舎で飼われている鶏の日齢「２００日齢」の鶏群情報を入力する。そして、搬送手段１の駆動手段１ａと、前記供給コンベア２の駆動手段２ａとを駆動させると鶏舎Ａから図示しない集卵コンベアを介して鶏卵Ｅが供給コンベア２に供給されるとともに、前記鶏卵Ｅは搬送方向Ｙに沿って例えば、６列の複列状態で搬送される。
【００１６】
その後、計量器２ｂで鶏卵Ｅの個々の卵重が計量されるとともに、前記卵重データが制御手段Ｓ内のメモリＳｂに送信され、前記メモリＳｂにおいて計量器２ｂから送信されてきた卵重データを前記鶏群情報入力部Ｓａに入力された鶏群の情報に関連付けて順次記憶する。
【００１７】
前記計量器２ｂにおいて卵重が計量された鶏卵Ｅは、移し替え装置２ｉにて該鶏卵Ｅが供給コンベア２から搬送手段１に移し替えられる。前記搬送手段１により搬送された前記鶏卵Ｅが搬送手段１の搬送経路上の放出位置に到達すると放出手段４から放出され、充填搬送コンベア３上に待機しているアメリカントレー等の輸送用仮容器ｖに充填される。そして、前記輸送用仮容器ｖに充填された鶏卵Ｅは搬送方向ｙに沿って順次搬送されて充填搬送コンベア３に集められる。
【００１８】
鶏舎Ａから集卵が完了すると、制御手段Ｓ内のメモリＳｂにおいて記憶されていた鶏舎Ａにおける鶏群の情報に関連付けられた卵重データがプリンタ５から出力される。
【００１９】
このように、鶏群の情報に関連付けられた卵重データを得ることができるので、鶏舎別の集卵個数を正確に把握することができるばかりでなく、鶏群別に産卵状況を管理することができ、また、養鶏場から鶏卵を購入するＧＰセンターにとっても鶏卵の購入時点おける当該鶏卵の卵重データを把握することができるので安心して鶏卵の取引を行なうことが可能になる。
【００２０】
本実施例では、集卵する鶏舎の識別番号と、その鶏舎で飼われている鶏種と、その鶏舎で飼われている鶏の日齢の鶏群情報を入力して集卵する例を説明したが、本実施例に限定するものではなく、図４（ｂ）に示すように、例えば、小規模養鶏場のように、鶏舎Ａ〜鶏舎Ｃで産卵された鶏卵を一括して集卵し、契約しているＧＰセンターに前記鶏卵を出荷する場合がある。このような場合、前記鶏舎Ａ〜鶏舎Ｃをひと括りの鶏群の情報として本発明の装置Ｔで処理を行ない、得られた鶏群の情報に関連付けられた卵重データをパソコン等で加工して集卵した鶏卵にどのようなサイズの鶏卵がどれだけ含まれているかのサイズバランスデータを得ることも可能である。
【００２１】
つぎに、第二発明の実施形態について説明する。図２は、第二発明にかかる鶏卵の充填装置Ｔを説明する平面図である。
【００２２】
第二発明で説明する鶏卵の充填装置Ｔ（以下、単に装置Ｔという。）と第一発明で説明した装置Ｔとの相違点を説明すると、図２に示すように、計量器２ｂと移し替え装置２ｉとの間に排出部２ｃ〜２ｈを設け、供給コンベア２にて搬送されてくる鶏卵Ｅの個々の卵重を計量器２ｂで計量したのち、極大卵および極小卵を、前記排出部２ｃ〜２ｈのうち当該鶏卵を積載している搬送経路に対応する排出部で排出するとともに、前記排出部２ｃ〜２ｈで排出されなかった鶏卵Ｅを選別することなく輸送用仮容器ｖに充填する構成としている。なお、その他の詳細な構成については前記第１実施形態と同一であるので説明を省略する。
【００２３】
前記構成からなる装置Ｔの極大卵あるいは極小卵を次工程に供給することなく排出する操業例を説明する。供給コンベア２に供給された鶏卵Ｅは、搬送方向Ｙに沿って例えば、６列の複列状態で搬送され、計量器２ｂで鶏卵Ｅの個々の卵重が計量されるとともに、前記卵重データが制御手段Ｓ内のメモリＳｂに送信され、前記メモリＳｂにおいて計量器２ｂから送信されてきた卵重データを前記鶏群情報入力部Ｓａに入力された鶏群の情報に関連付けて順次記憶する。そして、前記卵重データから極大卵や極小卵と判定された場合、前記制御手段Ｓ内の制御部Ｓｃから前記排出部２ｃ〜２ｈのうち当該鶏卵を積載している搬送経路に対応する排出部に排出指令信号を送信して当該鶏卵を排出する制御を行なうとともに、前記排出部２ｃ〜２ｈで排出されなかった鶏卵Ｅは選別することなく輸送用仮容器ｖに充填される。
【００２４】
このように、前記卵重データに基づいて、極大卵および極小卵を輸送用仮容器に充填するまでの前工程の所定場所に排出するとともに、前記所定場所に排出されなかった鶏卵を選別することなく輸送用仮容器に充填するので輸送用仮容器を多段に段積みしたときの割れや輸送用仮容器に充填するまでの搬送途上で落下による割れを防止することができ、他の規格卵を汚したり、設備を広範囲に汚したりすることを防止できる。
【００２５】
本実施例では、前記極大卵および極小卵を計量器２ｂと移し替え装置２ｉとの間で排出する例を説明したが、本実施例に限定するものではなく、極大卵あるいは極小卵のうちのいずれかを排出してもよいし、図３に示すように、搬送手段１における搬送経路上で、かつ、放出手段４の上流側に排出部２ｃを設けて前記極大卵および極小卵を輸送用仮容器ｖに充填するまでの前工程の所定場所に排出する構成としてもよい。
【００２６】
【発明の効果】
以上の説明で明らかなように、第一発明によれば、鶏群の情報に関連付けられた卵重データを得ることができるので、鶏群（鶏舎）別の集卵個数を正確に把握することができるばかりでなく、鶏群（鶏舎）別に産卵状況を管理することができ、また、養鶏場から鶏卵を購入するＧＰセンターにとっても鶏卵の購入時点おける当該鶏卵の卵重データを把握することができるので安心して鶏卵の取引を行なうことが可能になる。
【００２７】
また、第二発明によれば、前記卵重データに基づいて、極大卵あるいは極小卵のうち、少なくともいずれかを輸送用仮容器に充填するまでの前工程の所定場所に排出するとともに、前記所定場所に排出されなかった鶏卵を選別することなく輸送用仮容器に充填するので、輸送用仮容器を多段に段積みしたときの割れや輸送用仮容器に充填するまでの搬送途上で落下による割れを防止することができ、他の規格卵を汚したり、設備を広範囲に汚したりすることを防止できる。
【図面の簡単な説明】
【図１】第一発明にかかる鶏卵の充填装置を説明する図である。
【図２】第二発明にかかる鶏卵の充填装置を説明する図である。
【図３】第二発明にかかる鶏卵の充填装置における変形例を説明する図である。
【図４】鶏舎で産卵された鶏卵を集卵する説明図である。
【符号の説明】
１…搬送手段、２…供給コンベア、３…充填搬送コンベア、４…放出手段、５…プリンタ、Ａ…搬送方向、Ｅ…鶏卵、Ｓ…制御手段、Ｓａ…鶏群情報入力部、Ｓｂ…メモリ、Ｓｃ…制御部、ｖ…輸送用仮容器、Ｔ…鶏卵の充填装置
【図１】
2004229546.tif 000003
【図２】
2004229546.tif 000004
【図３】
2004229546.tif 000005
【図４】
2004229546.tif 000006